(57)【要約】  【課題】  梱包材は天板の上方向に突き出したケーシング部分に荷重を受けないような強度が必要となる一方、廃棄が容易なダンボール材等で構成する必要があるため、複雑な構造となり梱包材自体のコストが高くまた廃棄時の解体に手間がかかる。  【解決手段】  空気調和機の室外機を、キャビネット１ｂと、キャビネットの内部に設けられキャビネットの外側に送風する送風機２ｂと、送風機の外周側に設けられキャビネットから突き出した構造のケーシング３ｂとを備え、ケーシングはキャビネットに着脱自在に結合したものとする。  【選択図】図２
2007163025.tif 000002
【特許請求の範囲】
【請求項１】
キャビネットと、前記キャビネットの内部に設けられ前記キャビネットの外側に送風する送風機と、前記送風機の外周側に設けられ前記キャビネットから突き出した構造のケーシングとを備える空気調和機の室外機において、前記ケーシングは前記キャビネットに着脱自在に結合されていることを特徴とする空気調和機の室外機。
【請求項２】
請求項１において、前記キャビネットの内部に前記ケーシングを収納する収納部を設けたことを特徴とする空気調和機の室外機。
【請求項３】
請求項２において、前記キャビネットの内部に前記ケーシングを固定する固定手段を備えることを特徴とする空気調和機の室外機。
【請求項４】
キャビネットと、前記キャビネットの内部に設けられ前記キャビネットの外側に送風する送風機と、前記送風機の外周側に設けられ前記キャビネットから突き出した構造のケーシングを備える空気調和機の室外機において、前記ケーシングが前記キャビネットの上側の天板の上下方向へスライド可能な構造であることを特徴とする空気調和機の室外機。
【発明の詳細な説明】
【技術分野】
【０００１】
本発明は空気調和装置における室外機の保管・輸送用梱包材の簡素化に適した構造に関するものである。
【背景技術】
【０００２】
従来の空気調和機は、空気調和機の室外機は外形寸法が小型、コンパクト化されていく中で、例えば、特開２００３−２４０２７５号公報に記載のように、送風機は所定風量を確保しつつ騒音を低減するために羽根の外周に設けられたケーシングを軸方向に延長することで高効率化を図った構造がとられている。この結果、概観上室外機の筐体上面にたいし軸方向に延長されたケーシングがさらに上方向に突き出した構造となっている。
【０００３】
このような構造の室外機は保管時に複数段積み上げる、または室外機の上面に重量物を載せることを想定して、天板面に傷つき防止用の梱包材を設けており、さらに梱包材は天板の上方向に突き出したケーシング部分に荷重をうけないよう強度的に配慮した構造となっている。
【０００４】
【特許文献１】特開２００３−２４０２７５号公報（図１）
【発明の開示】
【発明が解決しようとする課題】
【０００５】
従来の技術では、室外機の梱包材は、積み重ねて保管する際に天板の上方向に突き出したケーシング部分に荷重を受けないような強度が必要な一方、廃棄が容易なダンボール材等で構成する必要があるため、複雑な構造となり梱包材自体のコストが高く、また廃棄時の解体にも手間がかかるという課題がある。
【０００６】
本発明の目的は上記課題を解決し、空気調和機の室外機の梱包材料費の削減と廃棄時の解体が容易な簡素な構造とすることを目的とするものである。
【課題を解決するための手段】
【０００７】
本発明の特徴は、空気調和機の室外機をキャビネットの上部に設けられキャビネットの外側に送風する送風機とキャビネットから突き出した構造のケーシングを備え、ケーシングはキャビネットから取り外し可能な構造とした点にある。
【０００８】
さらに、キャビネット内部にケーシングを収納する収納部を設けることが望ましい。
【０００９】
さらに、キャビネットの内側にケーシングを固定する固定手段を備えることが望ましい。
【００１０】
さらに、ケーシングがキャビネットの上側の天板の上下方向へスライド可能な構造であることが望ましい。
【発明の効果】
【００１１】
本発明によれば、ケーシングをキャビネットから取り外し可能な構造としたため、ケーシングを取り外して室外機を保管・輸送でき、室外機の梱包材を荷重に耐えるような強度にする必要がなくなるため、簡素化することができる。  また、ケーシングを収納する収納部を設けることにより、キャビネットとケーシングを一体で保管・輸送できるので、キャビネットとケーシングが別々になることなく効率的に保管・輸送できる。
【００１２】
また、キャビネットの内側にケーシングを固定する固定手段を設けることにより、室外機を運搬する際にキャビネット内部でガイド部が移動してキャビネット内部の機器を損傷させることを防止することができる。
【００１３】
また、ケーシングをキャビネットの上側の天板の上下方向へスライド可能な構造であるため、輸送時はガイド部を収納状態で輸送し、据付時にガイド部を引き出して使用することができるので、輸送時の梱包を簡素化することができる。
【発明を実施するための最良の形態】
【００１４】
以下、本発明の効果を説明するための比較例を図を参照して説明する。図1は比較例の室外ユニットの主要部を表す斜視図である。
【００１５】
図１は、キャビネット１ａ上部に送風機２ａを有する構造の空気調和機であり、送風機２ａの外周に設けたガイド部（ケーシング）３ａが天板４ａの上方へ突き出た構造となっている。図１の構成では、室外機を積み重ねて保管・輸送する場合、そのまま積み重ねると、上の室外機の重量で下の室外機のガイド部（ケーシング）３aが潰れてしまうので、ある程度の強度をもった梱包材で室外機を梱包する必要がある。
【実施例１】
【００１６】
以下、本発明の空気調和機の室外機の実施の形態として図を参照して説明する。図２は、本発明の実施例１を示す斜視図である。
【００１７】
図２は、キャビネット１ｂ上部に送風機２ｂを有する構造の空気調和機であり、送風機２ｂの外周に設けたガイド部（ケーシング）３ｂを取り外した状態で梱包できる構造となっている。本実施例によれば、ガイド部（ケーシング）を取り外し可能としているため、ガイド部（ケーシング）を取り外した状態でキャビネットに傷がつかない程度の梱包をしただけで室外機を積み重ねて保管・輸送できるため、比較例のものよりも保管・輸送コストを削減することができる。
【実施例２】
【００１８】
図３は、本発明の実施例２の室外機の斜視図である。図３は、キャビネット１ｃ上部に送風機２ｃを有する構造の空気調和機であり、天板４ｃに固定されるガイド部３ｃを取外した状態とし、キャビネット１ｃ内部に取り外した状態のガイド部３ｃを収納することができる構造となっている。本実施例によれば、キャビネットの内部にガイド部（ケーシング）を収納した状態で保管・輸送するので、保管・輸送時にキャビネットとガイド部（ケーシング）に別々になることなく、効率よく保管・輸送することができる。
【実施例３】
【００１９】
図４は、本発明の実施例３の室外機の斜視図である。図４は、キャビネット１ｄ上部に送風機２ｄを有する構造の空気調和機であり、天板４ｄに固定されるガイド部３ｄを取り外した状態で、天板４ｄの裏面から天板４ｄに固定することができる構造となっている。実施例２の構造では、室外機の輸送時にガイド部（ケーシング）3cがキャビネットの内部にぶつかり、キャビネット内部の機器が破損する可能性があるが、本実施例によれば、室外機の輸送時にもガイド部（ケーシング）がぶつかることによりキャビネット内部の機器が破損する恐れはない。
【実施例４】
【００２０】
図５は、本発明の実施例４の室外機の斜視図である。図５は、キャビネット１ｅ上部に送風機２ｅを有する構造の空気調和機であり、天板４ｅの上下へスライドすることができるガイド部（ケーシング）３ｅを有し、スライド幅の上端および下端で天板４ｅに固定することができる構造となっている。本実施例によれば、室外機の据付後にガイド部（ケーシング）３eを天板の上側にスライドさせることにより容易にガイド部を使用状態に配置することができる。
【実施例５】
【００２１】
図６は実施例５の室外機の斜視図である。図６は、キャビネット１ｆ上部に送風機２ｆを有する構造の空気調和機であり、取り外した状態のガイド部（ケーシング）３ｆを天地逆にキャビネット１ｆに取付け、キャビネット１ｆ内部にガイド（ケーシング）３ｆを収納できる構造となっている。
【００２２】
空気調和機の室外機において、騒音低減、送風効率向上のために送風機の外周に設けたガイド部（ケーシング）は大型化する傾向にあり、キャビネット寸法をコンパクト化するために送風機の外周に設けたガイド部をキャビネット上方へ延長されていた。
【００２３】
上記実施例の構造では比較例に比べキャビネットの上面を平面に近い形状とすることができるため、製品の輸送・搬入時の梱包を簡易化することができる。また、輸送時の製品容積を削減することができる。
【００２４】
以上説明したように、本発明の上記実施例によれば、梱包材をキズ防止のみ簡易的な構造とすることができ梱包材廃棄時の解体の手間を大幅に削減し、また梱包材自体の製作時間の短縮、梱包材料の削減によるコスト低減が可能となる。
【００２５】
さらに、梱包姿での室外機の高さおよび容積を小さく出来るため、物流工程（倉庫保管、トラック積載時）の効率をあげることが可能となる。
【図面の簡単な説明】
【００２６】
【図１】本発明の比較例とする室外機の主要部を表す斜視図。
【図２】本発明の一実施の形態による室外機の主要部を表わす斜視図。
【図３】本発明の一実施の形態による室外機の主要部を表わす斜視図。
【図４】本発明の一実施の形態による室外機の主要部を表わす斜視図。
【図５】本発明の一実施の形態による室外ユニットの主要部を表わす斜視図。
【図６】本発明の一実施の形態による室外ユニットの主要部を表わす斜視図。
【符号の説明】
【００２７】
１ａ…キャビネット、２ａ…羽根、３ａ…ケーシング、１ｂ…キャビネット、２ｂ…羽根、３ｂ…ケーシング、１ｃ…キャビネット、２ｃ…羽根、３ｃ…ケーシング、４ｃ…天板、１ｄ…キャビネット、２ｄ…羽根、３ｄ…ケーシング、１ｅ…キャビネット、２ｅ…羽根、３ｅ…ケーシング、４ｅ…天板、１ｆ…キャビネット、２ｆ…羽根、３ｆ…ケーシング、４ｆ…天板、
【図１】
2007163025.tif 000003
【図２】
2007163025.tif 000004
【図３】
2007163025.tif 000005
【図４】
2007163025.tif 000006
【図５】
2007163025.tif 000007
【図６】
2007163025.tif 000008